(57)【要約】      （修正有）【課題】植栽植物の包装材料費及び人件費が大幅に削減可能になる以外、ハードケースにより包装されるため植栽植物が直立した状態で設置され、植栽植物の枝が湾曲したり、折れる危険性が低下する植栽用保水容器を提供する。【解決手段】植栽用保水容器は、ハードケース１０の上面に孔部１２が設けられ、集水用バッグ２０及びハードケースが結合され、集水用バッグの口はハードケースの孔部に対応するように包接される。集水用バッグ内に水分または栄養剤が満たされ、１本または束になった植栽植物３０の枝がハードケースの孔部から集水用バッグ内部に挿入される方式により、植栽植物に対する包装及び固定が完成する。【選択図】図４
0003213596.tif 000002
【実用新案登録請求の範囲】
【請求項１】
底部には開口部を有し、上面には前記開口部に連通される孔部が設けられるハードケースと、
上部には前記ハードケースの孔部に対応するように包接されるバッグの口を有し、前記バッグの口箇所には前記ハードケースに結合される接合部が設けられる集水用バッグとを備えることを特徴とする植栽用保水容器。
【請求項２】
前記集水用バッグには常態では対応し合うように近接する２つの半分部が形成され、前記２つの半分部は前記集水用バッグの２つの側辺及び底辺に対して連続的な閉合状を呈することを特徴とする、請求項１に記載の植栽用保水容器。
【請求項３】
前記集水用バッグには常態では対応し合うように近接する２つの半分部が形成され、前記２つの半分部は前記集水用バッグの２つの側辺及び底辺に対して連続的な閉合状を呈し、前記２つの半分部は前記集水用バッグの口箇所に対して、前記ハードケースの孔部から突出される接合部がそれぞれ形成されることを特徴とする、請求項１に記載の植栽用保水容器。
【請求項４】
前記集水用バッグには常態では対応し合うように近接する２つの半分部が形成され、前記２つの半分部は前記集水用バッグの２つの側辺及び底辺に対して連続的な閉合状を呈し、前記２つの半分部は前記集水用バッグの底部に前記集水用バッグの内側に向けて折り畳まれる折畳み部がそれぞれ形成されることを特徴とする、請求項１に記載の植栽用保水容器。
【請求項５】
前記集水用バッグには常態では対応し合うように近接する２つの半分部が形成され、前記２つの半分部前記集水用バッグの２つの側辺及び底辺に対して連続的な閉合状を呈し、前記集水用バッグは前記開口部の位置に前記２つの半分部を圧接させる少なくとも１つのセパレートエンボスが形成されることを特徴とする、請求項１に記載の植栽用保水容器。
【請求項６】
前記集水用バッグには常態では対応し合うように近接する２つの半分部が形成され、前記２つの半分部は前記集水用バッグの２つの側辺及び底辺に対して連続的な閉合状を呈し、前記集水用バッグは前記開口部の位置に前記２つの半分部を圧接させる少なくとも１つのセパレートエンボスが形成され、前記２つの半分部は前記集水用バッグの口箇所に対して、前記ハードケースの孔部から突出される接合部がそれぞれ形成されることを特徴とする、請求項１に記載の植栽用保水容器。
【請求項７】
前記集水用バッグには常態では対応し合うように近接する２つの半分部が形成され、前記２つの半分部は前記集水用バッグの２つの側辺及び底辺に対して連続的な閉合状を呈し、前記集水用バッグは前記開口部の位置に前記２つの半分部を圧接させる少なくとも１つのセパレートエンボスが形成され、前記２つの半分部には前記集水用バッグの底部に前記集水用バッグの内側に向けて折り畳まれる折畳み部がそれぞれ形成されることを特徴とする、請求項１に記載の植栽用保水容器。
【請求項８】
前記集水用バッグには常態では対応し合うように近接する２つの半分部が形成され、前記２つの半分部は前記集水用バッグの２つの側辺及び底辺に対して連続的な閉合状を呈し、前記集水用バッグは前記開口部の位置に前記２つの半分部を圧接させる少なくとも１つのセパレートエンボスが形成され、前記２つの半分部は前記集水用バッグの底部に前記集水用バッグの内側に向けて折り畳まれる折畳み部がそれぞれ形成され、前記２つの半分部は前記集水用バッグの口箇所に対して、前記ハードケースの孔部から突出される接合部がそれぞれ形成されることを特徴とする、請求項１に記載の植栽用保水容器。
【請求項９】
前記集水用バッグは各前記接合部の箇所に１層の接着剤が被覆され、且つ前記接着剤の表面は離型処理を経た遮蔽板を被覆させることを特徴とする、請求項１乃至８の何れか１項に記載の植栽用保水容器。
【請求項１０】
前記ハードケースの上面には上が広く下が狭い凹部が形成され、前記孔部は前記凹部の箇所に設けられることを特徴とする、請求項１乃至８の何れか１項に記載の植栽用保水容器。
【請求項１１】
前記ハードケースには前記開口部の辺に沿って外側に向けて横に延伸される凸辺が形成されることを特徴とする、請求項１乃至８の何れか１項に記載の植栽用保水容器。
【請求項１２】
前記ハードケース上には複数のリブが設けられることを特徴とする、請求項１乃至８の何れか１項に記載の植栽用保水容器。
【請求項１３】
前記ハードケース上には複数のリブが設けられ、前記ハードケースには前記開口部の辺に沿って外側に向けて横に延伸される凸辺が形成され、前記ハードケースの上面には上が広く下が狭い凹部が形成され、前記孔部は前記凹部の箇所に設けられることを特徴とする、請求項１乃至８の何れか１項に記載の植栽用保水容器。
【請求項１４】
前記ハードケース上には複数のリブが設けられ、前記ハードケースには前記開口部の辺に沿って外側に向けて横に延伸される凸辺が形成され、前記ハードケースの上面には上が広く下が狭い凹部が形成され、前記孔部は前記凹部の箇所に設けられ、前記集水用バッグは各前記接合部の箇所に１層の接着剤が被覆され、且つ前記層接着剤の表面は離型処理を経た遮蔽板を被覆させることを特徴とする、請求項１乃至８の何れか１項に記載の植栽用保水容器。
【考案の詳細な説明】
【技術分野】
【０００１】
本考案は、物体または材料を保存或いは運送するための容器に関し、より詳しくは、１本または束になった植栽植物に対する包装に用いられる植栽用保水容器に関する。
【背景技術】
【０００２】
近年、花卉の栽培面積が継続的に拡大している。国産花卉の販売チャンネルと販売規模を増加させるため、国内消費者の購買意欲を持続的に刺激し、花卉の需要を増加させ、花卉の消費水準を高める以外に、国産花卉の海外市場での販売経路を積極的に開発し、花卉の海外販売を効果的に開拓することが、国産花卉の販売規模を拡大させ、国産花卉産業を永続的に発展させるための重要な鍵である。  
【０００３】
一般的な植栽植物の海外販売では、通常は海運または空輸により運送されるが、海運であれ空輸であれ、採集されてから消費者が購入するまでには時間がかかる。特に、剪断された切り花及び枝葉等の植栽植物製品の包装、運送過程において、植栽植物の完全性を維持させ、包装後も保水性を保つように維持させる必要がある。  
【０００４】
切り花及び枝葉等の植栽製品は包装及び運送において、多くは枝の末端に通称「試験管」が個別に覆設される。また、容器内には水分または栄養剤が満たされ、植栽植物が輸送中に吸収できるようになっており、植栽植物が保水状態を維持できるようにしている。
【考案の概要】
【考案が解決しようとする課題】
【０００５】
しかしながら、従来の植栽植物の包装保水方式では、各植栽植物に専用の容器が提供されるため、材料コストが高く、包装も複雑で煩雑になり、作業時間及び人件費が増加した。包装完成後の植栽植物は通常テープ、バンド或いはロープ等で植栽植物の枝部分を束ねるが、植栽植物の枝の末端に個別に掛ける容器では包装後に植栽植物を直立させておくことが難しく、植栽植物の枝が湾曲したり、折れる等の危険性が増した。  
【０００６】
そこで、本考案者は上記の欠点が改善可能と考え、鋭意検討を重ねた結果、合理的設計で上記の課題を効果的に改善する本考案の提案に到った。  
【０００７】
本考案は、以上の従来技術の課題を解決する為になされたものである。本考案の目的は、植栽用保水容器を提供する。すなわち、植栽植物の包装過程で保水状態を維持させ、且つ植栽植物の枝の湾曲や折れる危険性を低下させ、植栽植物の包装コストを大幅に削減する植栽用保水容器を提供する。
【課題を解決するための手段】
【０００８】
上記目的を達成するため、本考案に係る植栽用保水容器の特徴は、底部には開口部を有し、上面には前記開口部に連通される孔部が設けられるハードケースと、上部には前記ハードケースの孔部に対応するように包接されるバッグの口を有し、前記バッグの口箇所には前記ハードケースに結合される接合部が設けられる集水用バッグとを備える。  
【０００９】
本考案に係る植栽用保水容器は、使用において、１本または束になった植栽植物の枝がハードケースの孔部から集水用バッグ内部に挿入される方式により、植栽に対する包装及び固定を完成させる。集水用バッグ内に満たされる水分または栄養剤により、植栽植物が包装及び運送中でもその保水状態を維持させる。植栽植物の包装の材料費及び人件費が大幅に減少するほか、ハードケースにより包装される植栽植物が直立で設置され、植栽植物の枝が湾曲したり折れる危険性が更に低下する。  
【００１０】
さらに、前記集水用バッグには常態では対応し合うように近接する２つの半分部が形成され、前記２つの半分部は前記集水用バッグの２つの側辺及び底辺に対して連続的な閉合状を呈する。  
【００１１】
さらに、前記集水用バッグには常態では対応し合うように近接する２つの半分部が形成され、前記２つの半分部は前記集水用バッグの２つの側辺及び底辺に対して連続的な閉合状を呈する。前記２つの半分部は前記集水用バッグの口箇所に対して、前記ハードケースの孔部から突出される接合部がそれぞれ形成される。  
【００１２】
さらに、前記集水用バッグには常態では対応し合うように近接する２つの半分部が形成され、前記２つの半分部は前記集水用バッグの２つの側辺及び底辺に対して連続的な閉合状を呈する。前記２つの半分部は前記集水用バッグの底部に前記集水用バッグの内側に向けて折り畳まれる折畳み部がそれぞれ形成される。  
【００１３】
さらに、前記集水用バッグには常態では対応し合うように近接する２つの半分部が形成され、前記２つの半分部の前記集水用バッグの２つの側辺及び底辺に対して連続的な閉合状を呈する。前記集水用バッグは前記開口部の位置に前記２つの半分部を圧接させる少なくとも１つのセパレートエンボスが形成される。  
【００１４】
さらに、前記集水用バッグには常態では対応し合うように近接する２つの半分部が形成され、前記２つの半分部は前記集水用バッグの２つの側辺及び底辺に対して連続的な閉合状を呈する。前記集水用バッグは前記開口部の位置に前記２つの半分部を圧接させる少なくとも１つのセパレートエンボスが形成される。前記２つの半分部は前記集水用バッグの口箇所に対して、前記ハードケースの孔部から突出される接合部がそれぞれ形成される。  
【００１５】
さらに、前記集水用バッグには常態では対応し合うように近接する２つの半分部が形成され、前記２つの半分部は前記集水用バッグの２つの側辺及び底辺に対して連続的な閉合状を呈し、前記集水用バッグは前記開口部の位置に前記２つの半分部を圧接させる少なくとも１つのセパレートエンボスが形成される。前記２つの半分部には前記集水用バッグの底部に前記集水用バッグの内側に向けて折り畳まれる折畳み部がそれぞれ形成される。  
【００１６】
さらに、前記集水用バッグには常態では対応し合うように近接する２つの半分部が形成され、前記２つの半分部は前記集水用バッグの２つの側辺及び底辺に対して連続的な閉合状を呈し、前記集水用バッグは前記開口部の位置に前記２つの半分部を圧接させる少なくとも１つのセパレートエンボスが形成される。前記２つの半分部は前記集水用バッグの底部に前記集水用バッグの内側に向けて折り畳まれる折畳み部がそれぞれ形成される。前記２つの半分部は前記集水用バッグの口箇所に対して、前記ハードケースの孔部から突出される接合部がそれぞれ形成される。  
【００１７】
好ましくは、前記集水用バッグは各前記接合部の箇所に１層の接着剤が被覆され、且つ前記層接着剤の表面は離型処理を経た遮蔽板を被覆させる。  
【００１８】
好ましくは、前記ハードケースの上面には上が広く下が狭い凹部が形成され、前記孔部は前記凹部の箇所に設けられる。  
【００１９】
好ましくは、前記ハードケースには前記開口部の辺に沿って外側に向けて横に延伸される凸辺が形成される。  
【００２０】
好ましくは、前記ハードケース上には複数のリブが設けられる。  
【００２１】
好ましくは、前記ハードケース上には複数のリブが設けられる。前記ハードケースには前記開口部の辺に沿って外側に向けて横に延伸される凸辺が形成される。前記ハードケースの上面には上が広く下が狭い凹部が形成され、前記孔部は前記凹部の箇所に設けられる。  
【００２２】
好ましくは、前記ハードケース上には複数のリブが設けられる。前記ハードケースには前記開口部の辺に沿って外側に向けて横に延伸される凸辺が形成される。前記ハードケースの上面には上が広く下が狭い凹部が形成され、前記孔部は前記凹部の箇所に設けられる。前記集水用バッグは各前記接合部の箇所に１層の接着剤が被覆され、且つ前記層接着剤の表面は離型処理を経た遮蔽板を被覆させる。
【考案の効果】
【００２３】
本考案に係る植栽用保水容器は、主にハードケースに集水用バッグが結合される構造設計により、１本または束になった植栽植物の包装及び固定を高速に完成させる。植栽植物の包装にかかる材料費及び人件費が大幅に減少するほか、ハードケースにより包装された植栽植物が直立に設置可能になり、植栽の枝が湾曲したり折れる危険性を更に低下させる。特に、未使用時には、ハードケース及び集水用バッグそれぞれが折り畳まれるため、収納空間及び保管コストが大幅に減少する。
【図面の簡単な説明】
【００２４】
【図１】本考案の第１実施形態による植栽用保水容器を示す外観斜視図である。
【図２】本考案の第１実施形態による植栽用保水容器を示す分解図である。
【図３】本考案の第１実施形態による植栽用保水容器を示す断面図である。
【図４】本考案の第１実施形態による植栽用保水容器を示す使用状態の概略図である。
【図５】本考案の第２実施形態のハードケースを示す外観斜視図である。
【考案を実施するための形態】
【００２５】
以下、図面を参照して本考案に係る植栽用保水容器の実施形態について説明する。尚、以下に説明する実施の形態は、実用新案登録請求の範囲に記載された本考案の内容を限定するものではない。また、以下に説明される構成の全てが、本考案の必須要件であるとは限らない。
【実施形態】
【００２６】
（第１実施形態）  
本考案の第１実施形態の構成を図１から図４に示す。本考案の植栽用保水容器は、植栽植物の包装中にも保水状態を維持させ、且つ植栽の枝が湾曲したり折れる危険性を更に低下させ、植栽植物の包装コストを大幅に削減させる（図１乃至図３参照）。なお、本考案の植栽用保水容器は、ハードケース１０及び集水用バッグ２０を備える。前記ハードケース１０は逆さに置かれる箱状の構造体であり、その底部には開口部１１を有し、その上面には前記開口部に連通される孔部１２が設けられる。実施において、前記ハードケース１０はプラスチック成形され、且つ透明のプラスチックで成形されることが好ましい。  
【００２７】
前記集水用バッグ２０の上部には前記ハードケース１０の孔部１２に対応するように包接されるバッグの口２１を有し、前記バッグの口２１の箇所には前記ハードケース１０に結合される接合部２２１が設けられる。本実施形態において、前記集水用バッグ２０には常態では対応し合うように近接する２つの半分部２２が形成され、前記２つの半分部２２は前記集水用バッグ２０の２つの側辺及び底辺に対して連続的な閉合状を呈する。実施において、前記集水用バッグ２０は板状のプラスチック基材で封止成形され、且つ透明の板状のプラスチック基材が封止成形されることが好ましい。  
【００２８】
原則的に、本考案に係る集水用バッグ２０はハードケース１０の底部の開口部１１からハードケース１０に挿入され、且つバッグの口２１はハードケース１０の孔部１２に対応するように包接される。実施において、超音波溶接方式により集水用バッグ２０の接合部２２１及びハードケース１０が結合される。或いは、粘着方式により集水用バッグ２０の接合部２２１及びハードケース１０が結合される。  
【００２９】
図４を参照すると、本考案の植栽用保水容器は、集水用バッグ２０がハードケース１０に確実に結合された状態で、集水用バッグ２０内に水分または栄養剤が満たされる。１本または束になった植栽植物３０の枝がハードケース１０の孔部１２から集水用バッグ２０内部に挿入される方式により、植栽植物３０に対する包装及び固定が完成する。  
【００３０】
また、本考案の植栽用保水容器は、複数の植栽植物３０に対する包装が同時に完成し、且つ集水用バッグ２０内に満たされる水分または栄養剤により植栽植物３０が包装及び運送中にも保水状態を維持させる。植栽植物の包装の材料費及び人件費が大幅に削減されるほか、ハードケース１０により包装される植栽植物３０が直立して設置され、植栽植物３０の枝の湾曲や折れる危険性が更に減少する。  
【００３１】
本考案の植栽用保水容器は、前記集水用バッグ２０には常態では対応し合うように近接する２つの半分部２２が形成され、前記２つの半分部２２は前記集水用バッグ２０の２つの側辺及び底辺に対して連続的な閉合状を呈する実施態様において、前記２つの半分部２２は図３に示すように、前記集水用バッグ２０のバッグの口２１の箇所に対して、前記ハードケース１０の孔部１２から突出される接合部２２１がそれぞれ形成され、集水用バッグ２０及びハードケース１０の装設及び結合が便利になる。  
【００３２】
また、本考案の植栽用保水容器は、前記集水用バッグ２０には常態では対応し合うように近接する２つの半分部２２が形成され、前記２つの半分部２２は前記集水用バッグ２０の２つの側辺及び底辺に対して連続的な閉合状を呈する実施態様において、前記２つの半分部２２は図３に示すように、前記集水用バッグの底部に前記集水用バッグ２０の内側に向けて折り畳まれる折畳み部２２２がそれぞれ形成される。各半分部２２及びその折畳み部２２２の間には植栽植物の枝が対応するように挿入される狭層が形成され、植栽植物に対する固定効果を強化させる。  
【００３３】
なお、本考案の植栽用保水容器は、前記集水用バッグ２０には常態では対応し合うように近接する２つの半分部２２が形成され、前記２つの半分部２２は前記集水用バッグ２０の２つの側辺及び底辺に対して連続的な閉合状を呈する実施態様において、前記集水用バッグ２０は図３に示すように、前記開口部２１の位置には前記２つの半分部を圧接させる少なくとも１つのセパレートエンボス２３が形成される。これにより、集水用バッグ２０には複数の装設領域が区画され、異なる数量の植栽植物の包装の需要に対応させる。  
【００３４】
さらに、本考案の植栽用保水容器は、前記集水用バッグ２０には常態では対応し合うように近接する２つの半分部２２が形成され、前記２つの半分部２２は前記集水用バッグ２０の２つの側辺及び底辺に対して連続的な閉合状を呈する実施態様において、前記集水用バッグ２０は前記開口部２１の位置に前記２つの半分部を圧接させる少なくとも１つのセパレートエンボス２３が形成され、前記２つの半分部２２は前記集水用バッグ２０のバッグの口２１の箇所に対して、前記ハードケース１０の孔部１２から突出される接合部２２１がそれぞれ形成される構造形態を呈する。  
【００３５】
同様に、本考案の植栽用保水容器は、前記集水用バッグ２０には常態では対応し合うように近接する２つの半分部２２が形成され、前記２つの半分部２２は前記集水用バッグ２０の２つの側辺及び底辺に対して連続的な閉合状を呈する実施態様において、前記集水用バッグ２０は前記開口部２１の位置に前記２つの半分部２２を圧接させる少なくとも１つのセパレートエンボス２３が形成され、前記２つの半分部２２は前記集水用バッグ２０の底部に前記集水用バッグ２０の内側に向けて折り畳まれる折畳み部２２２がそれぞれ形成される構造形態を呈する。  
【００３６】
もちろん、本考案の植栽用保水容器は、前記集水用バッグ２０には常態では対応し合うように近接する２つの半分部２２が形成され、前記２つの半分部２２は前記集水用バッグ２０の２つの側辺及び底辺に対して連続的な閉合状を呈する実施態様において、前記集水用バッグ２０は前記開口部２１の位置に前記２つの半分部２２を圧接させる少なくとも１つのセパレートエンボス２３が形成され、前記２つの半分部２２は前記集水用バッグ２０の底部に前記集水用バッグ２０の内側に向けて折り畳まれる折畳み部２２２がそれぞれ形成され、前記２つの半分部２２は前記集水用バッグ２０のバッグの口２１の箇所に対して、前記ハードケース１０の孔部１２から突出される接合部２２１がそれぞれ形成される構造形態を呈することが好ましい。  
【００３７】
本考案の植栽用保水容器は上述の実施可能な各構造形態において、前記集水用バッグ２０は各前記接合部２２１の箇所に１層の接着剤２２３が被覆され、且つ前記１層の接着剤２２３の表面は離型処理を経た遮蔽板２４を被覆させる。遮蔽板２４が切り取られた状態において、接着剤２２３により接合部２２１及びハードケース１０が接合され、集水用バッグ２０及びハードケース１０を確実に結合させる目的を達成させる。  
【００３８】
換言すれば、本考案の植栽用保水容器は、実施において、工場出荷時に、予め集水用バッグ及びハードケースが結合された製品形態を呈する。或いは、集水用バッグ及びハードケースが未結合の製品形態を呈し、未使用状態では、ハードケース及び集水用バッグがそれぞれ折り畳まれ、収納空間及び保管コストを大幅に減少させる。  
【００３９】
本考案の植栽用保水容器は上述の実施可能な各構造形態において、前記ハードケース１０の上面に上が広く下が狭い凹部１３が形成され、前記孔部１３は前記凹部１３の箇所に設けられる。凹部１３は上が広く下が狭い設計となっているため、植栽植物３０を孔部１２に高速に挿入させる目的を達成させる。  
【００４０】
本考案の植栽用保水容器は上述の実施可能な各構造形態において、前記ハードケース１０には、前記開口部１１の辺に沿って外側に向けて横に延伸される凸辺１４が更に形成される。凸辺１４によりハードケース１０の底部の面積が増加し、これによりハードケース１０が置かれた際の安定性が向上する。  
【００４１】
（第２実施形態）  
図５に示されるように、本考案の植栽用保水容器は上述の実施可能な各構造形態において、前記ハードケース１０には複数のリブ１５が更に設けられる。リブ１５によりハードケース１０の構造強度が強化されるほか、ハードケース１０の把持しやすさも向上する。  
【００４２】
当然ながら、本考案の植栽用保水容器は上述の実施可能な各構造形態において、前記ハードケース１０に複数のリブ１５が更に設けられ、前記ハードケース１０には前記開口部１１の辺に沿って外側に向けて横に延伸される凸辺１４が形成され、前記ハードケース１０の上面に上が広く下が狭い凹部１３が形成され、前記孔部１２が前記凹部１３の箇所に設けられてもよい。  
【００４３】
同様に、本考案の植栽用保水容器は上述の実施可能な各構造形態において、前記ハードケース１０に複数のリブ１５が更に設けられ、前記ハードケース１０には前記開口部１１の辺に沿って外側に向けて横に延伸される凸辺１４が形成され、前記ハードケース１０の上面に上が広く下が狭い凹部１３が形成され、前記孔部１２が前記凹部１３の箇所に設けられ、前記集水用バッグ２０（図２参照）には各前記接合部２２１の箇所に１層の接着剤２２３が被覆され、且つ前記層接着剤２２３の表面が離型処理を経た遮蔽板２４を被覆させてもよい。  
【００４４】
さらに、従来の構造と比較すると、本考案に係る植栽用保水容器は、主にハードケースに集水用バッグが結合される構造設計により、１本または束になった植栽植物の包装及び固定を高速に完成させることができる。植栽植物の包装にかかる材料費及び人件費が大幅に削減されるほか、ハードケースにより包装される植栽植物が直立して置かれ、植栽植物の枝が湾曲したり折れる危険性が更に低下する。特に、未使用時には、ハードケース及び集水用バッグがそれぞれ折り畳まれているため、収納空間及び保管コストが大幅に減少する。  
【００４５】
以上、本考案の実施形態について図面を参照して詳述したが、具体的な構成はこの実施形態に限られるものではなく、本考案の要旨を逸脱しない範囲の設計変更等も含まれる。
【符号の説明】
【００４６】
１０  ハードケース
１１  開口部
１２  孔部
１３  凹部
１４  凸辺
１５  リブ
２０  集水用バッグ
２１  バッグの口
２２  半分部
２２１  接合部
２２２  折畳み部
２２３  接着剤
２２４  遮蔽板
２３  セパレートエンボス
３０  植栽植物
【図１】
0003213596.tif 000003
【図２】
0003213596.tif 000004
【図３】
0003213596.tif 000005
【図４】
0003213596.tif 000006
【図５】
0003213596.tif 000007